(57)【要約】【課題】芯を上下させて点火する石油ストーブ等の暖房機において、点火にタイマースイッチを使用し、自動で行なう自動点火装置付き石油ストーブを提供する。【解決手段】点火にタイマースイッチを使用し、燃焼筒下部付近に温度センサーを介し、芯調節つまみ、或は、芯調節レバーを点火位置にセットする事で点火回路を保持するマイクロスイッチを備え、タイマースイッチにて、乾電池からの電圧を点火装置から点火ヒーターまたは、赤熱ヒーターに通電し，芯に点火する。【選択図】図１２
2015010819.tif 000002
【特許請求の範囲】
【請求項１】
石油ストーブの燃焼筒付近に温度センサーを装備し点火にタイマースイッチを使用する事を特徴とする自動点火装置付き石油ストーブ。
【請求項２】
点火装置にタイムラグ機構を装備した事を特徴とする自動点火装置付き石油ストーブ。
【請求項３】
芯調節つまみを点火位置に廻す、または、芯調節レバーを下げる事で、点火用の回路が保持できるマイクロスイッチ、または、リレーを装備した事を特徴とする請求項１、又は、請求項２自動点火装置付き石油ストーブ。
【請求項４】
タイマー装置は、ＤＣモーター式タイマーまたは、交流モーター式を使用した事を特徴とする請求項１又は請求項２又は請求項３記載の自動点火装置付き石油ストーブ。
【請求項５】
点火装置、タイマー作動用の乾電池の電圧が規定以下、或は不良の時、乾電池警告灯を備えた請求項１記載又は、請求項２又は、請求項３又は、請求項４の自動点火装置付き石油ストーブ。
【請求項６】
乾電池の電圧が規定以下になった時に補充電、または、電源として使用出来る様に充電器を備えた請求項１又は、請求項２又は、請求項３又は、請求項４又は、請求項５の自動点火装置付き石油ストーブ。
【発明の詳細な説明】
【技術分野】
【０００１】  本発明は、芯上下式の石油ストーブ等の暖房機において、点火をタイマースイッチを使用し、自動で行なう自動点火装置付き石油ストーブに関するものである。
【背景技術】
【０００２】  従来の技術は、乾電池を電源とし、寒い日、または、寒い朝寝床より起きて、又は、寝る前、部屋を暖かくする為にわざわざ、石油ストーブの芯調節レバーを点火位置まで下げ点火、又は、芯調節つまみを点火位置まで廻し点火ボタンを押し、スパーク、赤熱ヒーター等で直接芯に点火させていた。
【発明の概要】
【発明が解決しようとする課題】
【０００３】  そこで、本発明は、自動点火装置を備える事で上述の問題を解決するためになされたものである。
【課題を解決するための手段】
【０００４】  上述の課題を解決するために、本発明の請求項１に記載の石油ストーブの燃焼筒付近に温度センサーを装備し点火にタイマースイッチを使用する事を特徴とする自動点火装置付き石油ストーブ。【０００５】  また、本発明の請求項２の点火装置にタイムラグ機構を装備した事を特徴とする請求項１、記載の自動点火装置付き石油ストーブ。【０００６】  また、本発明の請求項３の芯調節つまみを点火位置に廻す、または、芯調節レバー下げる事で点火用回路が保持できるマイクロスイッチ、または、リレーを装備したことを特徴とする請求項１、請求項２記載の自動点火装置付き石油ストーブ。【０００７】  また、本発明の請求項４のタイマー装置はＤＣモーター式タイマーまたは、交流モーター式タイマーを使用した事を特徴とする請求項１、請求項２、請求項３に記載の自動点火装置付き石油ストーブ。【０００８】  また、本発明の請求項５の点火装置、タイマー作動用の乾電池の電圧が規定以下、或は、不良の時、乾電池警告灯を備えた請求項１、請求項２、請求項３、請求項４に記載の自動点火装置付き石油ストーブ。【０００９】  また、請求項６の乾電池の電圧が規定以下になった時に補充電、または、電源として使用出来る様に充電器を備えた請求項１、請求項２、請求項３、請求項４請求項５に記載の自動点火装置付き石油ストーブ。
【発明の効果】
【００１０】  上記の自動点火装置付き石油ストーブを使用する事で寒い日、寒い朝、寝床より起きて、又は、寝る前、部屋を温かくする為にわざわざ、石油ストーブの燃焼芯上下調節レバーを点火位置まで下げて点火、又は、燃焼芯上下調節つまみを燃焼位置まで廻し点火ボタンを押し、スパーク、赤熱ヒーター又は、ライター、マッチ等で直接燃焼芯に点火させなくとも良く、寒さを気にせず健やかに熟睡できる。
（ａ）温度センサー、タイムラグ機能を備えている為自動で点火ヒーター、赤熱ヒーターに点火後回路が閉ざされる為、いちいち、起床しなくとも良い。
（ｂ）充電器の装備で乾電池のトラブルあっても即対応できる。
（ｃ）本発明は、従来の機能を使用しつつ、新たな機能を簡単に装備できる。
【図面の簡単な説明】
【００１１】
【図１】本発明の外観斜視図である。
【図２】本発明の燃焼筒部の分解斜視図である。
【図３】本発明の点火装置の分解斜視図である。
【図４】本発明の点火部分の斜視図である。
【図５】本発明の点火部分の拡大の斜視図である。
【図６】本発明の自動点火用マイクロスイッチ作動状態の平面図である。
【図７】本発明の芯調節つまみ要部の斜視図である。
【図８】本発明の要部の斜視図である。
【図９】本発明の自動点火用マイクロスイッチの作動状態の斜視図である。
【図１０】本発明の本体の斜視図である。
【図１１】本発明の自動点火装置付き石油ストーブ本体の斜視図である。
【図１２】本発明の自動点火装置付き石油ストーブ本体の平面図である。
【図１３】本発明の乾電池警告灯が備えられている自動点火装置付き石油ストーブの平面図である。
【図１４】本発明の電源または、補充電用充電器をキャビネットに備えた自動点火装置付き石油ストーブの背面図である。
【図１５】本発明の自動点火装置付き石油ストーブのデジタルタイマー装置の電気構成図である。
【図１６】本発明の自動点火装置付き石油ストーブのアナグロタイマースイッチ装置の電気構成図である。
【発明を実施するための形態】
【００１２】  アナグロタイマー装置３０−２の自動点火装置付き石油ストーブでは、燃焼芯調節レバー２９を、点火位置４１−１まで下げると、自動点火用マイクロスイッチ２６の自動点火用アーム２６−２に赤熱ヒーター押え板２８−２が押え、マイクロスイッチの接点が閉じ、その回路に直列に介した温度センサー２５は低温の為、接点は閉じていて、乾電池よりの電圧は、タイマー用ダイヤル３７を指定時刻にセットする事でＤＣモーターが作動し、指定時刻になるとタイマースイッチ内の接点が閉じ図５の赤熱ヒーター２４に電圧が掛かり赤熱され、芯に点火、任意の温度になると、温度センサー２５の接点が開き電圧はストップされ、赤熱ヒーター（点火プラグ）２４に電圧が掛からず赤熱作用は止まる。
また、デジタルタイマー装置３０−１式自動点火装置付き石油ストーブでは、芯調節つまみ６を点火位置４１に廻すと、芯調節つまみ根元付近に備えた自動点火用マイクロスイッチ押さえ棒２７が自動点火用マイクロスイッチ２６の自動点火用アーム２６−１を押えマイクロスイッチ２６の接点が閉じる。また、タイマー設定は、タイマー設定押しボタン３４にて、１時間刻みの＋、−また、１分刻みの＋、−設定ボタン３４が備えてあり電源スイッチ３３を入れ運転スイッチ４０を押す事でタイマーが運転状態になりカウントダウンされる。デジタルタイマー装置３１−１内にはタイムラグ装置が設けられていて設定時間に接点が閉じ、電圧が点火プラグ２４に掛かり点火すると４秒間後に電圧はストップ、点火装置１２への電圧はストップされ、更に点火プラグ１０への電圧はストップされる。
また、乾電池の電圧降下でタイマー装置、点火不良をきたした時は、乾電池警告灯３２が点滅し知らせてくれる、従って充電器３８を備えている為即電源となり、また、補充電が可能である。
又、従来の装置も使用出来、芯調節つまみ６を点火位置４１まで廻し点火ボタン５を押し、スパーク、赤熱ヒーター２４等を経て燃焼芯に点火させる。または、芯調節レバー２９を点火位置４１−１まで下げ芯１８に点火させる構造である。
【実施例１】
【０００８】  図１は本発明の外観斜視図である。
【実施例２】
【０００９】  また、図２は実施例２の燃焼筒の分解斜視図である。
【実施例３】
【００１０】  また、図３は実施例３の点火装置の分解図である。【００１１】  また、図４は実施例４の点火部分の拡大の斜視図である。
【実施例４】
【００１２】  また、図５は、実施例５の点火部分の拡大の斜視図である。
【実施例５】
【００１３】  また、図６は、本発明の実施例６の自動点火装置付き石油ストーブの芯調節つまみ６に自動点火用マイクロスイッチ押さえ棒２７が備えてあり点火位置にセットされた平面図である。
第４実施例の自動点火装置付き石油ストーブの芯調節レバー式の点火装置一式で自動点火用マイクロスイッチ押え板２８−１点火用マイクロスイッチ押え板２８−２、自動点火用マイクロスイッチ２６点火用マイクロスイッチ１５自動点火用アーム２６−１自動点火用マイクロスイッチ２６芯調節レバー２９で構成された斜視図である。
【実施例６】
【００１４】  また、図７は芯調節つまみ６の要部の斜視図である。【００１５】  また、図８は、自動点火装置付き石油ストーブの点火装置で、芯調節レバー２９が消火位置にある状態の斜視図である。【００１６】  また、図９は、芯調節レバー式の点火装置一式の斜視図であり自動点火用マイクロスイッチ２６−１の自動点火用アーム２６−２が自動点火用マイクロスッチ押え板２８−１に押えられている作動状態の斜視図である。自動点火装置付き石油ストーブ本体の斜視図であり、デジタルタイマー装置３０−１をタンク室ふた３５の上に備え、芯調節つまみ６に自動点火用マイクロスイッチ押さえ棒２７が点火位置にある事を示している斜視図である。【００１７】  また、図１０は、本発明のアナグロタイマー装置３０−２付き石油ストーブ本体の斜視図である。【００１８】  また、図１１は、デジタルタイマー装置３０−１をタンク室ふた３５の上部に備えられ、デジタルタイマー装置３０−１内にはＤＣモーターと温度センサー２５点火プラグ２４に電圧を流すマイクロスイッチが組み込まれている。また、電源用や点火用の乾電池の電圧が規定以下に成った時、警告する乾電池警告灯３２が備えられている自動点火装置付き石油ストーブの斜視図である。【００１９】  また、図１２は、デジタルタイマー装置３０−１付き石油ストーブ本体の平面図でありタンク室ふた３５の上部にデジタルタイマー装置３０−１を備え内面には温度センサー２５からの電圧用リレーまた、点火装置１２から点火プラグ１０に電圧を流し、芯に点火後タイムラグ（４秒間）機構を組み込まれ、また、上部には、電源スイッチ３３、操作部、表示部１（設定時間）の表示部がある。更にタイマー設定押しボタン３４運転スイッチ４０また、乾電池３９付近に常備の乾電池３９の電圧低下で乾電池警告灯が点滅し点火装置１２、１２−１の作動、また、点火プラグ１０赤熱ヒーター２４の電圧不足等のトラブルを防ぐ為に、乾電池警告灯３２を備えている自動点火装置付き石油ストーブ本体の平面図である。【００２０】  また、図１３は、アナグロタイマー装置付き３０−２石油ストーブ本体の平面図である。【００２１】  また、図１４は、本発明のキャビネット３６の背面の電源または、補充電用充電器３８を備えた自動点火装置付き石油ストーブの平面図である。
電源または、補充電器をキャビネットに備えた自動点火装置付き石油ストーブの背面図である。【００２２】  また、図１５は、本発明の自動点火装置付き石油ストーブのデジタルタイマー装置の電気構成図である。【００２３】  また、図１６は、本発明の自動点火装置付き石油ストーブのアナグロタイマー装置の電気構成図である。
【符号の説明】
【００２４】    １    操作部、表示部
２    スピード消火ボタン
３    給油サイン
４    燃焼筒
５    点火ボタン
６    芯調節つまみ
７    ガラス外筒
８    外筒ベース
９    燃焼筒つまみ
１０    点火プラグ
１１    高圧コード
１２    点火装置
１２−１  点火装置
１３    電極板
１４    対震自動消火装置
１５    点火用マイクロスイッチ
１６    自動点火用アーム
１７    芯案内筒
１８    芯
１９    乾電池ケース
２０    電源リード線
２１    固定タンク
２２    電極
２３    電極板
２４    赤熱ヒーター
２５    温度センサー
２６−１  自動点火用マイクロスイッチ
２６−２  自動点火用アーム
２７    自動点火用マイクロスイッチ押さえ棒
２８−１  自動点火用マイクロスイッチ押さえ板
２８−２  点火用マイクロスイッチ押さえ板
２９    芯調節レバー
３０−１  デジタルタイマー装置
３０−２  アナグロタイマー装置
３１    消火ボタン
３２    乾電池警告灯
３３    電源スイッチ
３４    タイマー設定押しボタン
３５    タンク室ふた
３６    キャビネット
３７    タイマー用ダイヤル
３８    充電器
３９    乾電池
４０    運転スイッチ
４１    点火位置
４１−１  点火位置
【図１】
2015010819.tif 000003
【図２】
2015010819.tif 000004
【図３】
2015010819.tif 000005
【図４】
2015010819.tif 000006
【図５】
2015010819.tif 000007
【図６】
2015010819.tif 000008
【図７】
2015010819.tif 000009
【図８】
2015010819.tif 000010
【図９】
2015010819.tif 000011
【図１０】
2015010819.tif 000012
【図１１】
2015010819.tif 000013
【図１２】
2015010819.tif 000014
【図１３】
2015010819.tif 000015
【図１４】
2015010819.tif 000016
【図１５】
2015010819.tif 000017
【図１６】
2015010819.tif 000018